(57)【特許請求の範囲】
【請求項１】
筐体（１）内には主装置として必要な電装部（３）を装着したまま、筐体（１）を壁面（Ｗ）に固定するようにした壁掛け型式の電話通信用交換機において、
筐体（１）にはその対向辺部に凹形係合部（６）と凸形係合部（７）とを形成して連接する筐体（１）同士の両係合部（６），（７）により係合機構を構成すると共に、筐体（１）の対向両辺部には連通部（８）を形成して連接する筐体（１）同士の両連通部（８）を貫通した状態のもとにコネクタ付ケーブル（９）により隣接主装置の電装部（３）を互いに接続するようにし、
筐体（１）の後部ケース（１ａ）と前部カバー（１ｂ）とがそれら開口部において互いに吻合状態のもとに着脱可能に嵌合され、かつ後部ケース（１ａ）の開口縁を切り欠いて連通部（８）が形成されていることを特徴とする電話交換機用主装置の連結装置。
【発明の詳細な説明】
【０００１】
【発明の属する技術分野】
本発明は、電話通信用構内交換機における主装置の連結装置に関するものであり、詳しくは複数の主装置を順次連結状態に壁掛け型として増設するのに好適な連結装置に関するものである。
【０００２】
【従来の技術】
従来のこの種の連結装置としては、大別して独立型と一体型とがあり、独立型は例えば図６のように、個々の主装置Ａを壁面ＷにねじＢにより取り付けると共に、外部に露出状態の長尺の接続用ケーブルＣにより主装置Ａ同士を接続するするようにし、また一体型は例えば図７のように、格別に製作した連結用の金具ＤおよびねじＥにより個々の主装置Ａを互いに固定すると共に、これら主装置Ａを壁面ＷにねじＢにより取り付けるようにしている。
【０００３】
【発明が解決しようとする課題】
従来の独立型においては、主装置Ａ同士を接続する長尺の接続用ケーブルＣが必要であるばかりでなく、ケーブルＣが外部に露出している関係上、過ってケーブルＣに対する外力により引き抜かれる危険性があるための防護策として、脱離防止手段を付設した高価なコネクタを使用する必要があるほか、主装置Ａ間の空隙並びにケーブルＣの占めるスペースのため、全体としての設置に要する占有面積が増大する欠点があり、また、従来の一体型においては、特別な連結用金具ＤおよびねじＥを必要とするばかりでなく、設置作業が煩雑であるという欠点がある。
【０００４】
そこで本発明の目的は、格別な連結用部品を使用することなく、簡単な構造のもとに、複数の主装置を順次にしかも容易に連設することができるようにするばかりでなく、狭小なスペースに設置することができる連結装置を提供することにある。
【０００５】
【課題を解決するための手段】
本発明は上記目的を達成するため、各主装置における筐体の対向両辺部に凹形係合部と凸形係合部とを形成して隣接筐体同士の凹凸両係合部の係合による位置規制のもとに連接状態に設けると共に、各主装置を壁面に固定するようにし、各主装置間の電気的接続については、隣接する各主装置の筐体壁に互いに符合する連通部を形成してこれら両連通部を貫通してコネクタ付ケーブルにより接続するようにし、なお主装置の筐体はこれを主体と蓋体との吻合により構成する型式を採択するのがよい。
【０００６】
上記構成により、複数の主装置を壁面に固定しつつ、その筐体を順次連接すると、各筐体の対応両辺部における凹凸両係合部が係合し、筐体が整然と位置規制されて少ない占有容積のもとに増設され、あるいは一部撤去による減少が可能であり、また各主装置は隣接筐体間の連通部を経てケーブル付コネクタにより非露出状態に接続される。
【０００７】
【発明の実施の形態】
以下、本発明を図面に示す実施形態について説明する。
【０００８】
本発明の適用対象としての主装置としては、例えば図１ないし図３に示すように、後部ケース１ａと前部カバー１ｂとをそれら開口部において互いに吻合状態のもとに着脱可能に嵌合した後、必要に応じねじ２により固着して長方形の筐体１を構成すると共に、筐体１内には主装置として必要な電装部３を装備してその電源コード（図示せず）を側面から引き出すほか、適宜位置に局線接続用モジュラージャック（図示せず）を設け、かつ筐体１における後部ケース１ａの底壁における隅角部付近には壁掛用係合孔４と固定用取付孔５とを穿設し、壁面Ｗに突出状態に植設した壁掛け用ねじＳの頭部に前記係合孔４を係合した後に取付孔５において取付ねじｓにより締め付けることにより筐体１を壁面Ｗに固定するようにした型式を採択する。
【０００９】
上記型式に対する本発明の特殊構成としては、前記筐体１における後部ケース１ａの上辺部に溝形成による凹形係合部６を形成すると共に、下辺部に突条形成による凸形係合部７を形成してこれら両者による係合機構を構成し、複数の筐体１を積み重ね状態のもとに、上位筐体１の凸形係合部７と下位筐体１の凹形係合部６とを係合させて位置規制するようにし、なお前記凹形係合部６と凸形係合部７とはその位置を上下逆の関係に形成してもよいこと当然である。
【００１０】
壁面Ｗに設置するに当っては、架設済みの第１の主装置における筐体１の上部に第２の主装置における筐体１を積み重ね状態に載せ掛ける過程において、その凸形係合部７を第１の主装置における筐体１の凹形係合部６に係合させ、第２の主装置における筐体１をねじＳおよびｓにより壁面Ｗに固定するようにし、更に第３の主装置を架設する場合には、同様に既架設の第２の主装置の上部または第１の主装置の下部に配置したまま、それぞれ対応する凹形係合部６と凸形係合部７とを係合させた後、第３の主装置における筐体１をねじＳおよびｓにより壁面Ｗに固定するようにすればよく、第４，第５の主装置についても同様に順次積み重ねる状態に増設することができるのである。
【００１１】
各主装置間の電気的接続のためには、図１および図２に詳示するように、隣接する各主装置の筐体１の対接辺壁例えば後部ケース１ａの上辺部と下辺部とに互いに符合する位置の開口縁を切り欠いて連通部８を形成し、対接する後部ケース１ａにおける両連通部８を貫通してコネクタ付ケーブル９により電装部３を互いに接続するようにし、後部ケース１ａに前部カバー１ｂを吻合状態に嵌合することにより、接続用ケーブル９を主装置の外部に露出させることなく安定的な接続を維持することができる。
【００１２】
図４および図５の実施形態は各主装置を積み重ねることなく横に並架した状態を例示したものであつて、凹形係合部６と凸形係合部７とを後部ケース１ａの左右辺部に形成してこれら両者による係合機構を構成するほか、凹形係合部６と凸形係合部７との形状および係合方向が異なる以外は、前記実施形態におけると性質的に同様であり、同一部分に符号を付して説明は省略する。
【００１３】
【発明の効果】
以上説明したように本発明によれば、次のような効果が得られる。
【００１４】
ａ．主装置における筐体１の対向辺部に凹形係合部６と凸形係合部７と形成して連接する筐体１同士の両係合部６，７により係合機構を構成したから、これにより複数の主装置の筐体１を簡単な操作により順次連接しつつ、確実な位置規制のもとに密着状態に壁面に架設することができ、しかも主装置の架設スペースを節減することができる。
【００１５】
ｂ．筐体１の対向両辺部には連通部８を形成して連接する筐体１の対応両連通部８を符合させたまま、両連通部８を貫通した状態のもとにコネクタ付ケーブル９により隣接主装置の電装部３を互いに接続するようにしたから、これにより接続ケーブル９を主装置の外部に露出させることがなく、従って内部配線用の安価でしかも短いケーブルの使用で足りるほか、ケーブルに対する引張外力を顧慮しないで済むから、コネクタの脱離防止機構を省略することができる。
【００１６】
後部ケース１ａと前部カバー１ｂとをそれら開口部において互いに吻合状態のもとに着脱可能に固着した筐体１を採択し、かつ後部ケース１ａの開口縁を切り欠いて連通部８を形成したから、これにより隣接主装置の電装部３同士の接続に際しては、後部ケース１ａから前部カバー１ｂを外した状態のもとに容易に行うことができる。
【図面の簡単な説明】
【図１】本発明の連結装置を装備した電話交換機用主装置の連設状態を示す一部破断側面図である。
【図２】図１の装置の一部破断正面図である。
【図３】図１の装置の要部だけの斜面図である。
【図４】本発明の他の実施形態の連結装置を装備した主装置の連設状態を示す正面図である。
【図５】図４の装置の要部だけの斜面図である。
【図６】従来装置の連設状態の正面図である。
【図７】他の従来装置の連設状態の正面図である。
【符号の説明】
１  筐体
１ａ  後部ケース
１ｂ  前部カバー
３  電装部
６  凹形係合部
７  凸形係合部
８  連通部
９  コネクタ付ケーブル
Ｗ  壁面
【図１】
0003779767.tif 000002
【図２】
0003779767.tif 000003
【図３】
0003779767.tif 000004
【図４】
0003779767.tif 000005
【図５】
0003779767.tif 000006
【図６】
0003779767.tif 000007
【図７】
0003779767.tif 000008